(57)【要約】【課題】  コンデンサヘッドホンにおいて、界面活性剤により導電性が付与されている振動板の電気抵抗の安定化を図る。【解決手段】  コンデンサヘッドホン用振動板１０において、高分子フィルムからなる薄膜基材１０１の少なくとも一方の面に、界面活性剤からなる導電皮膜１０２を形成し、さらに導電皮膜１０２を覆うように絶縁皮膜１０３を形成する。【選択図】  図２
2006041567.tif 000002
【特許請求の範囲】
【請求項１】
高分子フィルムからなる薄膜基材の少なくとも一方の面に、界面活性剤からなる導電皮膜と、上記導電皮膜を覆う絶縁皮膜とが形成されていることを特徴とするコンデンサヘッドホン用振動板。
【請求項２】
高分子フィルムからなる薄膜基材の少なくとも一方の面に界面活性剤を塗布して導電皮膜を形成し上記界面活性剤に含まれている溶媒を蒸散したのち、上記導電皮膜上に絶縁材溶液を塗布して絶縁皮膜を形成することを特徴とするコンデンサヘッドホン用振動板の製造方法。
【請求項３】
上記導電皮膜および上記絶縁皮膜をスピンコート法によって形成することを特徴とする請求項２に記載のコンデンサヘッドホン用振動板の製造方法。
【請求項４】
支持リングに張設された振動板と固定極とをスペーサリングを介して対向的に配置してなる静電型変換器を含むコンデンサヘッドホンにおいて、
上記振動板として、高分子フィルムからなる薄膜基材の少なくとも一方の面に、界面活性剤からなる導電皮膜と、上記導電皮膜を覆う絶縁皮膜とが形成されている振動板を用いることを特徴とするコンデンサヘッドホン。
【発明の詳細な説明】
【技術分野】
【０００１】
本発明はコンデンサヘッドホンに関し、さらに詳しく言えば、高湿度環境下においても振動板の導電抵抗を安定化する技術に関するものである。
【背景技術】
【０００２】
振動板と固定極とをスペーサを介して対向的に配置してなる静電型変換器において、振動板はコンデンサを形成する一方の電極として用いられることから導電性を付与する必要がある。静電型変換器はコンデンサマイクロホンとコンデンサヘッドホン（スピーカ）のいずれにも使用されるが、コンデンサヘッドホンの場合には振動板に例えば４００Ｖ程度の成極電圧が印加される。
【０００３】
振動板に導電性を付与する方法として、例えば特許文献１に記載されているように振動板の薄膜基材に金属蒸着膜を形成する方法があるが、振動板が大きく振動して固定極と機械的に接触した場合には、その接触部分に電流が集中して流れて発熱し最悪の場合には振動板が破壊されることがある。
【０００４】
振動板に導電性を付与する別の方法として、通常帯電防止剤として用いられる界面活性剤を電荷保持材として振動板の薄膜基材に塗布する方法がある。界面活性剤によれば、きわめて薄い例えば０．１μｍ以下の導電皮膜を形成できるため、振動板の薄膜基材の機械的強度にほとんど影響を与えることがない。
【０００５】
したがって、振動板の薄膜基材に薄くて機械的強度の優れた高分子フィルム（例えば、１．２μｍ厚のポリエチレンテレフタレート（ＰＥＴ），ポリフェニレンサルファイド（ＰＰＳ），ポリエチレンナフタレート（ＰＥＮ）など）を選択でき、高音質のコンデンサヘッドホンとすることができる。
【０００６】
【特許文献１】特開昭５８−５６３７号公報
【発明の開示】
【発明が解決しようとする課題】
【０００７】
しかしながら、界面活性剤による導電皮膜は、その皮膜表面で水分を吸着する性質をもつため吸着した水分によって電気抵抗が低下する。これは電荷の流失につながる。そればかりでなく、高湿度環境下においては結露が発生することがあり、その結露量が多くなると振動板と固定極との間に成極電圧の漏洩電流が発生しこれが原因で雑音が発生する。
【０００８】
したがって、本発明の課題は、コンデンサヘッドホンにおいて、界面活性剤により導電性が付与されている振動板の電気抵抗の安定化を図ることにある。
【課題を解決するための手段】
【０００９】
上記課題を解決するため、本願の請求項１に記載の発明は、高分子フィルムからなる薄膜基材の少なくとも一方の面に、界面活性剤からなる導電皮膜と、上記導電皮膜を覆う絶縁皮膜とが形成されていることを特徴としている。
【００１０】
本願の請求項２に記載の発明は、コンデンサヘッドホン用振動板の製造方法において、高分子フィルムからなる薄膜基材の少なくとも一方の面に界面活性剤を塗布して導電皮膜を形成し上記界面活性剤に含まれている溶媒を蒸散したのち、上記導電皮膜上に絶縁材溶液を塗布して絶縁皮膜を形成することを特徴としている。
【００１１】
本願の請求項３に記載の発明は、上記請求項２において、上記導電皮膜および上記絶縁皮膜をスピンコート法によって形成することを特徴としている。
【００１２】
本願の請求項４に記載の発明は、支持リングに張設された振動板と固定極とをスペーサリングを介して対向的に配置してなる静電型変換器を含むコンデンサヘッドホンにおいて、上記振動板として、高分子フィルムからなる薄膜基材の少なくとも一方の面に、界面活性剤からなる導電皮膜と、上記導電皮膜を覆う絶縁皮膜とが形成されている振動板を用いることを特徴としている。
【発明の効果】
【００１３】
上記請求項１に記載の発明によれば、界面活性剤からなる導電皮膜の上に絶縁皮膜が形成されているため導電皮膜の皮膜表面に水分が吸着されることがない。したがって、導電皮膜の導電抵抗が安定し導電皮膜にほぼ一定量の電荷が長期間にわたって保持される。また、結露が発生するような高湿度環境下においても絶縁皮膜があるため、振動板と固定極との間に漏洩電流が流れず雑音の発生が防止される。
【００１４】
上記請求項２に記載の発明によれば、界面活性剤により導電皮膜を形成し、それに含まれている溶媒を蒸散したのち絶縁皮膜を形成することにより、導電皮膜材料が絶縁皮膜内に溶け出すことがない。このため、導電皮膜を損なうことなく絶縁皮膜を形成することができる。
【００１５】
上記請求項３に記載の発明によれば、スピンコート法を適用することにより、導電皮膜および絶縁皮膜をともに振動板の薄膜基材の機械的強度にほとんど影響を与えることがない０．１μｍ以下のきわめて薄い膜として形成することができる。
【００１６】
上記請求項４に記載の発明によれば、振動板の薄膜基材に薄くて機械的強度の優れた高分子フィルムを用いることができ、しかも導電皮膜の導電抵抗が安定していることから、高音質のコンデンサヘットホンが提供される。
【発明を実施するための最良の形態】
【００１７】
次に、図１ないし図３により本発明の実施形態について説明するが、本発明はこれに限定されるものではない。図１は本発明のコンデンサヘッドホンが備える静電型変換器を示す模式的な断面図，図２は本発明による振動板の一部拡大断面図，図３は本発明による振動板の製造工程を示す模式図である。
【００１８】
図１に示す静電変換器１において、振動板１０は導電材よりなる支持リング１１に所定の張力をもって張設された状態で、電気絶縁性のスペーサリング２０を介して固定極３０と対向的に組み合わされる。
【００１９】
本発明において、固定極３０の構成は任意であってよい。すなわち、固定極３０には例えば黄銅合金やアルミニウムなどの金属電極が用いられるが、高分子フィルムからなるエレクトレット材が適用されてもよい。
【００２０】
また、固定極３０を振動板１０の両面側に配置してプッシュプル型としてもよいが、いずれにしても、本発明のコンデンサヘッドホンの場合には、振動板１０と固定極３０との間に例えば４００〜５００Ｖ程度の高い成極電圧が印加される。
【００２１】
振動板１０には電極として動作するための導電性が付与されるが、本発明においては、界面活性剤により振動板１０に導電性が付与されている。図２を参照して、振動板１０は高分子フィルムよりなる薄膜基材１０１を備え、薄膜基材１０１の表裏両面には導電皮膜１０２と絶縁皮膜１０３とがそれぞれ形成されている。なお、薄膜基材１０１の片面側にのみ導電皮膜１０２と絶縁皮膜１０３とが形成されてもよい。
【００２２】
本発明において、薄膜基材１０１には厚さが１．２μｍ程度でも機械的強度が優れているポリエチレンテレフタレート（ＰＥＴ），ポリフェニレンサルファイド（ＰＰＳ），ポリエチレンナフタレート（ＰＥＮ）などが好ましく採用される。
【００２３】
振動板１０を製造するには、図３（ａ）〜（ｅ）に示す工程を辿ることが好ましい。まず、図３（ａ）に示すように支持リング１１に薄膜基材１０１を適切な張力を与えて接着し振動板基体１０ａを作製する。
【００２４】
この振動板基体１０ａを図示しないスピンナー上に載置し、図３（ｂ）に示すように薄膜基材１０１上に界面活性剤１０２ａを滴下したのち、スピンナーにて振動板基体１０ａを回転させるスピンコート法により薄膜基材１０１上に界面活性剤１０２ａによる導電皮膜１０２を形成する。図３（ｃ）に導電皮膜１０２が形成された状態を示す。
【００２５】
界面活性剤１０２ａには、例えばコルコート社製の界面活性剤系静電防止剤「コルコート２００」を用いることができる。この界面活性剤の表面抵抗は１０８〜１０９，性状は液体で溶媒はメタノールである。必要に応じて、導電皮膜１０２を薄膜基材１０１の両面に形成し、図３（ｃ）の状態で界面活性剤１０２ａ（導電皮膜１０２）に含まれている溶媒をほぼ完全に蒸散させる。
【００２６】
しかる後、再び振動板基体１０ａを図示しないスピンナー上に載置し、図３（ｄ）に示すように導電皮膜１０２上に絶縁材溶液１０３ａを滴下して、同じくスピンコート法により導電皮膜１０２上に絶縁皮膜１０３を形成する。
【００２７】
図３（ｅ）に絶縁皮膜１０３が形成された状態を示す。導電皮膜１０２が薄膜基材１０１の両面に形成されている場合には絶縁皮膜１０３も両面に形成する。絶縁材溶液１０３ａには、例えばアイ・エヌ・ジー社製の「フロロバリヤーＦＰ−１０５４」（溶媒はフッ素系）を使用することができる。図３（ｅ）の状態で絶縁材溶液１０３ａ（絶縁皮膜１０３）に含まれている溶媒を蒸散させて実際に使用される振動板１０とする。
【００２８】
上記の製造方法によれば、界面活性剤１０２ａに含まれている溶媒を蒸散してから絶縁皮膜１０３を形成するようにしているため、導電皮膜材料が絶縁皮膜内に溶け出すことがなく、したがって良好な導電皮膜１０２を形成できる。
【００２９】
また、導電皮膜１０２と絶縁皮膜１０３の成膜にスピンコート法を適用しているため、両皮膜をともに０．１μｍ以下の膜厚に形成できる。したがって、導電皮膜１０２と絶縁皮膜１０３とを形成しても振動板１０の機械強度に悪影響が与えられることもない。
【図面の簡単な説明】
【００３０】
【図１】本発明のコンデンサヘッドホンが備える静電型変換器を示す模式的な断面図。
【図２】本発明による振動板の一部拡大断面図。
【図３】（ａ）〜（ｅ）本発明による振動板の製造工程を示す模式図。
【符号の説明】
【００３１】
１  静電型変換器
１０  振動板
１０ａ  振動板基体
１１  支持リング
１０１  薄膜基材
１０２  導電皮膜
１０３  絶縁皮膜
２０  スペーサリング
３０  固定極
【図１】
2006041567.tif 000003
【図２】
2006041567.tif 000004
【図３】
2006041567.tif 000005